(57)【特許請求の範囲】
【請求項１】
レンズと、
撮像素子と、
該レンズに向けて開口する開口部を備え、該撮像素子を格納する格納部と、
該格納部上に固定され、該開口部を塞ぐ透光部材と、
該レンズを保持する可動部と、
該格納部上の、該透光部材とは異なる位置に固定され、該可動部を駆動する固定部と、を備えており、
該透光部材は、該格納部から該レンズ側に向けて突出しており、
該固定部は、該透光部材の一部を覆うように迫り出している迫り出し部を備えており、
該透光部材の該レンズ側の面の方が、該格納部において該固定部を固定する搭載面よりも該レンズ側にあり、
該迫り出し部の該撮像素子側の面の方が、該透光部材の該レンズ側の面よりも該レンズ側にあり、
該迫り出し部と、該透光部材との間に空隙が設けられていることを特徴とするカメラモジュール。
【請求項２】
上記迫り出し部上に、上記可動部を受ける可動部受け部が設けられていることを特徴とする請求項１に記載のカメラモジュール。
【請求項３】
上記透光部材は、矩形板状であり、
上記迫り出し部は、少なくとも上記透光部材の隅部を覆うことを特徴とする請求項１または２に記載のカメラモジュール。
【請求項４】
上記固定部は、上記可動部を上記レンズの光軸方向に駆動することを特徴とする請求項１〜３の何れか１項に記載のカメラモジュール。
【請求項５】
上記固定部は、上記可動部を上記レンズの光軸に垂直な方向に駆動し、
上記可動部は、上記レンズを上記レンズの光軸方向に駆動することを特徴とする請求項１〜３の何れか１項に記載のカメラモジュール。
【請求項６】
上記格納部に、上記開口部を囲うように凹部が設けられており、
該凹部は、上記透光部材の大きさよりも広く、上記透光部材の厚さよりも浅いものであることを特徴とする請求項１〜５の何れか１項に記載のカメラモジュール。
【発明の詳細な説明】
【技術分野】
【０００１】
本発明は、画像または映像を撮像する機能を有する電子機器に搭載されるカメラモジュールに関する。
【背景技術】
【０００２】
近年、携帯電話等の電子機器に搭載されるカメラモジュールとして、特許文献１には、レンズの焦点位置を調整できる光学構造体と、前記レンズに対応させて固体撮像素子を実装した素子基板とを備え、前記光学構造体と素子基板との間に配置される中間構造体が設けられ、前記光学構造体及び中間構造体のうち少なくとも一方は、他方の構造体を係止するための係止部を備えるカメラモジュールが提案されている。
【０００３】
特許文献１に記載のカメラモジュールでは、中間構造体において固体撮像素子に対応する位置に窓部が形成してあり、窓部の撮像素子側に光学フィルタが貼付してある。
【０００４】
また、特許文献２には、撮像レンズと撮像レンズを保持するレンズバレルとを有する光学部と、無限遠端からマクロ端まで撮像レンズを光軸方向に駆動するレンズ駆動部と、上記撮像レンズを通して入射された光を電気信号に変換する撮像素子を有する撮像部とを備え、上記レンズ駆動部は、上記光学部を内部に保持し、光軸方向に移動できる可動部と、撮像レンズの駆動時に位置が変動しない固定部とを備えており、上記レンズ駆動部が、上記撮像レンズを無限遠端に駆動させたとき、上記光学部の基準面と、上記固定部に形成されたレンズ駆動部の基準面または撮像部の基準面とが互いに当接するカメラモジュールが提案されている。
【０００５】
特許文献２に記載のカメラモジュールでは、上記撮像部は、上記撮像素子の少なくとも一部を覆うと共に、表面にレンズ駆動部が搭載されるセンサーカバーを備えている。当該センサーカバーには、光路を確保するための開口が設けられており、当該開口には、ガラス基板が配置されている。
【先行技術文献】
【特許文献】
【０００６】
【特許文献１】特開２００５−１７５９７１号公報（２００５年６月３０日公開）
【特許文献２】特開２０１０−１３４４０９号公報（２０１０年６月１７日公開）
【発明の概要】
【発明が解決しようとする課題】
【０００７】
ここで、カメラモジュールの組み立て工程において発生した異物および外部からカメラモジュールに侵入した異物が、特許文献１に記載のカメラモジュールの光学フィルタ、または、特許文献２に記載のカメラモジュールのガラス基板上に載った場合、撮像素子に到達する光を遮る場合がある。特許文献１に記載の技術は、この問題について何ら考慮されていない。
【０００８】
一方、特許文献２には、ガラス基板の上面がセンサーカバーから撮像レンズ側（上方）に突出していてもよいこと、および、ガラス基板を撮像素子に対して距離を離して配置した方が異物に対して強くなることが記載されている。しかしながら、このようにガラス基板を設置した場合、カメラモジュールの他の構造物の形状、配置等が制限され、高品質なカメラモジュールを提供し得ないおそれがある。
【０００９】
本発明は上記課題に鑑みてなされたものであり、内部に混入した異物の影響が抑制された高品質なカメラモジュールを提供することを主たる目的とする。
【課題を解決するための手段】
【００１０】
本発明に係るカメラモジュールは、上記課題を解決するために、レンズと、撮像素子と、該レンズに向けて開口する開口部を備え、該撮像素子を格納する格納部と、該格納部上に固定され、該開口部を塞ぐ透光部材と、該レンズを保持する可動部と、該格納部上の、該透光部材とは異なる位置に固定され、該可動部を駆動する固定部と、を備えており、該透光部材は、該格納部から該レンズ側に向けて突出しており、該固定部は、該透光部材の一部を覆うように迫り出している迫り出し部を備えており、該透光部材の該レンズ側の面の方が、該格納部において該固定部を固定する搭載面よりも該レンズ側にあり、該迫り出し部の該撮像素子側の面の方が、該透光部材の該レンズ側の面よりも該レンズ側にあり、該迫り出し部と、該透光部材との間に空隙が設けられていることを特徴としている。
【００１１】
上記の構成によれば、透光部材が、格納部からレンズ側に向かって突出しているため、例え、透光部材上に異物が載ったとしても、異物と撮像素子との間隔を離すことができるため、撮像素子に到達する光に与える影響を、異物のサイズに対して低減させ、異物の影響を抑制することができる。
【００１２】
また、異物は、一旦、格納部の表面に落ち、その後、透光部材上に移動するという複雑な経路をたどる必要があり、透光部材が突出しており、さらに、透光部材の一部が迫り出し部によって覆われているために、当該経路が複雑化され、異物が透光部材上に載ることを好適に避けることができる。それゆえ、異物の影響を抑制することができる。
【００１３】
また、上記の構成によれば、固定部が、格納部上の、透光部材とは異なる位置に固定されているため、透光部材を、首尾よく、格納部からレンズ側に向かって突出させることができる。
【００１４】
また、上記の構成によれば、固定部が有する、可動部を駆動するための駆動機構の少なくとも一部を、迫り出し部上に設けることができる。これにより、透光部材が格納部からレンズ側に向かって突出していることによって、固定部の固定位置が光軸から見て外側にずれたとしても、当該駆動機構を、より光軸近くに配置することができる。それゆえ、カメラモジュールの構造物の形状、配置等について、透光部材が格納部からレンズ側に向かって突出していない場合と同等以上の構成を実現することができる。また、透光部材よりも格納部の方が引込むようになっているため、駆動機構を配置するスペースを確保し、必要に応じて駆動の推力を増大することもできる。
【００１５】
以上のように、上記の構成によれば、内部に混入した異物の影響が抑制された高品質なカメラモジュールを提供することができる。また、上記の構成によれば、カメラモジュールの組み立て工程時に、透光部材と迫り出し部とが接触することを首尾よく避けることができる。これにより、透光部材が固定された格納部を含む撮像構造体の中心と、迫り出し部を備える固定部を含む光学構造体との中心とが、透光部材と迫り出し部との接触によってずれることを首尾よく避けることができる。
【００１６】
本発明に係るカメラモジュールでは、上記迫り出し部上に、上記可動部を受ける可動部受け部が設けられていることが好ましい。
【００１７】
上記の構成によれば、可動部を受ける可動部受け部を、迫り出し部上に設けることができる。これにより、透光部材が格納部からレンズ側に向かって突出していることによって、固定部の固定位置が光軸から見て外側にずれたとしても、可動部受け部を、より光軸近くに配置することができる。それゆえ、カメラモジュールの構造物の形状、配置等について、透光部材が格納部からレンズ側に向かって突出していない場合と同等以上の構成をより好適に実現することができる。
【００１８】
本発明に係るカメラモジュールでは、上記透光部材は、矩形板状であり、上記迫り出し部は、少なくとも上記透光部材の隅部を覆うものであってもよい。
【００１９】
上記の構成によれば、迫り出し部が、矩形板状の透光部材の隅部を覆うようになっているので、撮像素子に入射する光を、透光部材の中央部に通すことができる。すなわち、撮像素子に入射する光の経路を好適に設定することができる。
【００２２】
本発明に係るカメラモジュールでは、上記固定部は、上記可動部を上記レンズの光軸方向に駆動するものであってもよい。
【００２３】
上記の構成によれば、レンズを光軸方向に駆動することができるので、例えば、オートフォーカス機能等を容易に実現することができる。そして、本発明によれば、固定部に設けられている迫り出し部の存在によって、可動部を駆動するための駆動機構を好適に配置することができる。
【００２４】
本発明に係るカメラモジュールでは、上記固定部は、上記可動部を上記レンズの光軸に垂直な方向に駆動し、上記可動部は、上記レンズを上記レンズの光軸方向に駆動するものであってもよい。
【００２５】
上記の構成によれば、レンズを光軸方向および光軸に垂直な方向に駆動することができるので、例えば、オートフォーカス機能、手ぶれ補正機能等を容易に実現することができる。そして、本発明によれば、固定部に設けられている迫り出し部の存在によって、可動部を駆動するための駆動機構を好適に配置することができる。
【００２６】
本発明に係るカメラモジュールでは、上記格納部に、上記開口部を囲うように凹部が設けられており、該凹部は、上記透光部材の大きさよりも広く、上記透光部材の厚さよりも浅いものであってもよい。
【００２７】
上記の構成によれば、凹部の広さは、透光部材の大きさよりも広いため、透光部材を首尾よくはめ込むことができる。また、凹部の深さは、透光部材の厚さよりも浅いため、透光部材を、首尾よく、格納部からレンズ側に向かって突出させることができる。
【発明の効果】
【００２８】
本発明に係るカメラモジュールは、レンズと、撮像素子と、該レンズに向けて開口する開口部を備え、該撮像素子を格納する格納部と、該格納部上に固定され、該開口部を塞ぐ透光部材と、該レンズを保持する可動部と、該格納部上の、該透光部材とは異なる位置に固定され、該可動部を駆動する固定部と、を備えており、該透光部材は、該格納部から該レンズ側に向けて突出しており、該固定部は、該透光部材の一部を覆うように迫り出している迫り出し部を備えているため、内部に混入した異物の影響を抑制するとともに、構造物同士の調和をとることができる。
【図面の簡単な説明】
【００２９】
【図１】本発明の一実施形態に係るカメラモジュールの概略構成を示す断面図である。
【図２】本発明の一実施形態に係るカメラモジュールの概略構成を示す断面図である。
【図３】本発明の一実施形態における格納部の構造を模式的に示す斜視図である。
【図４】本発明の一実施形態における透光部材を固定した格納部の構造を模式的に示す斜視図である。
【図５】本発明の一実施形態における光学構造体の構造を模式的に示す斜視図である。
【図６】本発明の一実施形態における光学構造体の構造を模式的に示す斜視図である。
【図７】本発明の一実施形態における光学構造体の構造を模式的に示す斜視図である。
【図８】本発明の一実施形態における光学構造体の構造を模式的に示す斜視図である。
【発明を実施するための形態】
【００３０】
〔第１実施形態〕
図１は、本発明の一実施形態（第１実施形態）に係るカメラモジュール５１の概略構成を示す断面図である。図１（ａ）は、後述するリッドガラス１５の対角線に沿った（図４および５のＡ−Ａ’における）断面図を示し、図１（ｂ）は、リッドガラス１５の辺に平行な中心線に沿った（図４および５のＢ−Ｂ’における）断面図を示す。図１に示すように、カメラモジュール５１は、光学構造体１１と撮像構造体１６とが積層されてなる。
【００３１】
（光学構造体）
本実施形態において、光学構造体１１は、撮像レンズ（レンズ）１、レンズバレル２、スリーブ３、コイル４、ヨーク５、磁石６、板バネ７および８、ベース部９、ならびに、トップカバー１０を備えている。
【００３２】
ベース部９は、撮像構造体１６に固定され、光学構造体１１の他の構造物を支持する。ヨーク５は、光学構造体１１の外周部に配置されており、ベース部９に固定されている。ヨーク５の上部にはトップカバー１０が設けられている。
【００３３】
ヨーク５に囲まれた部分に、スリーブ３が配置されている。スリーブ３は、内部にレンズバレル２を固定している。レンズバレル２は、撮像レンズ１を保持している。図１中、Ｏ−Ｏ’に撮像レンズ１の光軸を示す。以下、撮像レンズ１の光軸を、単に、光軸と称する。
【００３４】
スリーブ３の上部および下部には、それぞれ板バネ７および８の一端が固定されており、板バネ７および８の他端は、それぞれヨーク５およびベース部９に固定されている。すなわち、スリーブ３は、板バネ７および８を介してベース部９およびヨーク５に接続しており、板バネ７および８が変形することにより、光軸方向に移動できるようになっている。
【００３５】
また、スリーブ３の外周には、コイル４が巻回されている。また、ヨーク５の内側には、コイル４に対向した磁石６が設けられている。そして、コイル４に電流を与えることにより、スリーブ３を光軸方向に駆動できるようになっている。すなわち、カメラモジュール５１では、撮像レンズ１を光軸方向に駆動することができ、例えば、オートフォーカス機能を実現することができる。
【００３６】
本実施形態では、光学構造体１１のうち、光軸方向に駆動されるようになっている部分、すなわち、撮像レンズ１、レンズバレル２、スリーブ３およびコイル４を、可動部２１と称し、光学構造体１１のうち、撮像構造体１６に固定されており、可動部２１を駆動する部分、すなわち、ベース部９、ヨーク５、磁石６、トップカバー１０、ならびに、板バネ７および８を、固定部２２と称する。
【００３７】
（撮像構造体）
本実施形態において、撮像構造体１６は、撮像素子１２、基板１３、センサーカバー（格納部）１４およびリッドガラス（透光部材）１５を備えている。
【００３８】
撮像素子１２は基板１３上に設けられている。また、センサーカバー１４は、基板１３上に固定され、撮像素子１２を格納している。センサーカバー１４には、撮像レンズ１から入射した光を通すための開口部１４ａが設けられている。そして、開口部１４ａを塞ぐように、センサーカバー１４上にリッドガラス１５が固定されている。また、センサーカバー１４上の、リッドガラス１５が固定されている領域とは異なる領域である搭載面１４ｂに、光学構造体１１のベース部９（の下面９ａ）が固定される。
【００３９】
図３は、センサーカバー１４の構造を模式的に示す斜視図である。図３に示すように、センサーカバー１４の中央部には、開口部１４ａが設けられている。また、センサーカバーの外周部には、搭載面１４ｂが設けられている。そして、搭載面１４ｂと開口部１４ａとの間には、開口部１４ａを囲うように凹部１４ｃが設けられている。凹部１４ｃは、リッドガラス１５を固定するための領域であり、搭載面１４ｂよりも撮像素子１２側に凹んでいる。
【００４０】
図４は、リッドガラス１５を固定したセンサーカバー１４の構造を模式的に示す斜視図である。図４に示すように、凹部１４ｃ内に、矩形板状のリッドガラス１５がはまり込んで固定される。すなわち、凹部１４ｃの広さは、リッドガラス１５の大きさよりも広くなっている。また、凹部１４ｃの深さは、リッドガラス１５の厚さよりも浅くなっている。これにより、リッドガラス１５は、センサーカバー１４から撮像レンズ１側に向かって突出する。
【００４１】
言い換えれば、撮像素子１２から撮像レンズ１に向かう方向を上方としたときに、リッドガラス１５の上面の方が、センサーカバー１４の上面（搭載面１４ｂ）よりも、高い位置にある。
【００４２】
このように構成することにより、例え、カメラモジュール５１内に異物が混入し、リッドガラス１５上に異物が載ったとしても、異物と撮像素子１２との間隔を離すことができるため、撮像素子１２に到達する光に与える影響を、異物のサイズに対して低減させ、異物の影響を抑制することができる。すなわち、リッドガラス１５上に載る異物の許容サイズを大きくすることが可能となり、より高品質なカメラモジュールの提供が可能となる。
【００４３】
また、カメラモジュール５１内に混入した異物は、例えば、一旦、センサーカバー１４の上面に落ち、その後、リッドガラス１５上に移動するという複雑な経路をたどる必要があり、さらに、リッドガラス１５がセンサーカバー１４から撮像レンズ１側に向かって突出しているため、センサーカバー１４の上面と、リッドガラス１５との間に障壁が存在するため、このような経路から異物が透光部材上に載ることを好適に避けることができる。それゆえ、異物の影響を抑制することができる。
【００４４】
また、このように、リッドガラス１５よりもセンサーカバー１４の搭載面１４ｂの方が引込むようになっている（撮像素子１２から撮像レンズ１に向かう方向を上方としたときに、リッドガラス１５の上面よりもセンサーカバー１４の搭載面１４ｂの方が低い位置にある）ため、駆動機構を配置するスペースを確保し、必要に応じて駆動の推力を増大することもできる。すなわち、リッドガラス１５の上面よりセンサーカバー１４の搭載面１４ｂを下げることにより、その下げた分、光学構造体１１の高さ寸法を取ることが可能となり、レンズバレル２の外周に配置される、磁石６およびコイル４の高さ方向のサイズを大きく取ることができるため、スリーブ３の駆動のための推力に余裕を持つことができ、より高品質なカメラモジュールを提供することが可能となる。
【００４５】
また、センサーカバー１４上に、リッドガラス１５を固定するための領域として、リッドガラス１５の大きさよりも広く、リッドガラス１５の厚さよりも浅い凹部１４ｃを設けることにより、リッドガラス１５を、首尾よく、センサーカバー１４に固定した上で、センサーカバー１４から撮像レンズ１側に向かって突出させることができる。
【００４６】
なお、リッドガラス１５は、センサーカバー１４から撮像レンズ１側に向かって突出するようになっていればよく、必ずしも、図４に示すように凹部１４ｃに固定されている必要はない。リッドガラス１５は、センサーカバー１４上の、搭載面１４ｂと同じか、搭載面１４ｂよりも撮像レンズ１側に隆起した領域に固定されていてもよい。
【００４７】
また、ベース部９（の下面９ａ）は、センサーカバー１４上の、リッドガラス１５が固定される位置（凹部１４ｃ）とは異なる位置（搭載面１４ｂ）に固定されるため、リッドガラス１５がセンサーカバー１４から撮像レンズ１側に向かって突出することを妨げない。
【００４８】
（迫り出し部）
ここで、図１（ａ）に示すように、ベース部９は、リッドガラス１５の一部を覆うように迫り出している迫り出し部９ｂを備えている。すなわち、撮像素子１２から撮像レンズ１に向かう方向を上方としたとき、ベース部９は、リッドガラス１５の上面よりも高い位置から、内側（リッドガラス１５側）に向かって延伸している。
【００４９】
これにより、可動部２１を駆動するための駆動機構の少なくとも一部を、迫り出し部９ｂ上に設けることができる。特に、図１（ａ）に示すように、可動部２１の底面を受ける受け部（可動部受け部）９ｃを迫り出し部９ｂ上に設けることが好ましい。これにより、リッドガラス１５がセンサーカバー１４から撮像レンズ１側に向かって突出していることによって、固定部２２の固定位置（搭載面１４ｂの位置）が光軸から見て外側にずれたとしても、より光軸近くに駆動機構（例えば、受け部９ｃ）を配置することができる。それゆえ、カメラモジュール５１の構造物の形状、配置等について、透光部材が格納部からレンズ側に向かって突出していない場合と同等の構成を実現することができる。例えば、可動部２１を受けるための受け部９ｃを光軸近くに設けることができるため、可動部２１を光軸近くの好適な位置に配置することができる。
【００５０】
なお、受け部９ｃは、可動部２１の可動域を限定し、可動部２１が正常な範囲を超えて駆動されることを防ぐための受け部である。
【００５１】
また、迫り出し部９ｂを設けることにより、一旦、センサーカバー１４の上面に落ち、その後、リッドガラス１５上に移動するという異物の経路がさらに複雑となり、異物がリッドガラス１５上に載ることをより好適に避けることができる。
【００５２】
なお、図１（ｂ）に示すように、特定の断面においては、迫り出し部９ｂは、リッドガラス１５を覆わないようになっていてもよい。
【００５３】
また、図１（ａ）に示すように、リッドガラス１５と、迫り出し部９ｂとの間には、空隙が存在するようになっていることが好ましい。このように構成することにより、カメラモジュール５１の組み立て工程時に、リッドガラス１５と迫り出し部９ｂとが接触することを首尾よく避けることができる。これにより、リッドガラス１５が固定されたセンサーカバー１４を含む撮像構造体１６の中心と、迫り出し部９ｂを備える固定部２２を含む光学構造体１１との中心とが、リッドガラス１５と迫り出し部９ｂとの接触によってずれることを首尾よく避けることができる。
【００５４】
さらに、図面を参照して、迫り出し部９ｂの形状について詳細に説明する。図５は、固定部２２を、撮像素子１２側から観察した斜視図である。図５に示すように、ベース部９の外周は、搭載面１４ｂと接合する下面９ａとなっている。また、ベース部９の中央部には、撮像素子１２に光を入射させるための開口部９ｄが設けられている。そして、リッドガラス１５の隅部に対応する位置に、迫り出し部９ｂが設けられている。
【００５５】
このように、迫り出し部９ｂは、リッドガラス１５の隅部のみを覆う物であってもよい。このように構成することにより、撮像素子１２に入射する光を、リッドガラス１５の中央部に通すことができる。すなわち、撮像素子１２に入射する光の経路を好適に設定することができる。
【００５６】
なお、開口部９ｄの大きさと、リッドガラス１５の大きさとの関係によっては、図７に示すように、迫り出し部９ｂが、リッドガラス１５の外周部全体（すなわち、隅部および辺部）を覆うようになっていてもよい。
【００５７】
〔第２実施形態〕
図２は、本発明の一実施形態（第２実施形態）に係るカメラモジュール６１の概略構成を示す断面図である。図２（ａ）は、リッドガラス１５の対角線に沿った（図４および６のＡ−Ａ’における）断面図を示し、図２（ｂ）は、リッドガラス１５の辺に平行な中心線に沿った（図４および６のＢ−Ｂ’における）断面図を示す。図２に示すように、カメラモジュール６１は、光学構造体１１と撮像構造体１６とが積層されてなる。
【００５８】
（光学構造体）
本実施形態において、光学構造体１１は、撮像レンズ１、レンズバレル２、スリーブ３、ＡＦコイル４’、磁石６、板バネ７および８、ベース部９、中間部材１７、ワイヤー１８、カバー１９、ならびに、ＯＩＳコイル２０を備えている。
【００５９】
ベース部９は、撮像構造体１６に固定され、光学構造体１１の他の構造物を支持する。カバー１９は、光学構造体１１の外周部に配置されており、ベース部９に固定されている。
【００６０】
カバー１９に囲まれた部分に、中間部材１７が配置されている。中間部材１７の内部には、スリーブ３が配置されている。スリーブ３は内側にレンズバレル２を固定している。レンズバレル２は、撮像レンズ１を保持している。図２中、Ｏ−Ｏ’に撮像レンズ１の光軸を示す。以下、撮像レンズ１の光軸を、単に、光軸と称する。
【００６１】
スリーブ３は、板バネ７および８を介して、光軸方向に移動可能なように中間部材１７に接続している。また、スリーブ３の外周にはＡＦコイル４’が巻回されている。また、中間部材１７に、ＡＦコイル４’に対向するように磁石６が設けられている。そして、ＡＦコイル４’に電流を与えることにより、スリーブ３を光軸方向に駆動できるようになっている。すなわち、カメラモジュール６１では、撮像レンズ１を光軸方向に駆動することができ、例えば、オートフォーカス機能を実現することができる。
【００６２】
また、中間部材１７は、ベース部９に対して、光軸方向に延びるワイヤー１８を介して支持されている。ワイヤー１８は、一端がベース部９に固定され、他端が中間部材１７に固定されている。ワイヤー１８は、サスペンションワイヤーとも称され、ワイヤー１８が僅かに曲がることにより、中間部材１７は、光軸方向に垂直な方向に移動できるようになっている。
【００６３】
ここで、カバー１９の内側には、中間部材１７が備える磁石６に対向するようにＯＩＳコイル２０が設けられている。そして、ＯＩＳコイル２０に電流を与えることにより、中間部材１７を、撮像レンズ１の光軸に垂直な方向に駆動できるようになっている。すなわち、カメラモジュール６１では、撮像レンズ１をさらに光軸に垂直な方向に駆動することができ、例えば、手ぶれ補正機能を実現することができる。
【００６４】
本実施形態では、光学構造体１１のうち、光軸に垂直な方向に駆動されるようになっている部分、すなわち、撮像レンズ１、レンズバレル２、スリーブ３、ＡＦコイル４’、板バネ７および８、磁石６、ならびに、中間部材１７を、可動部２１と称し、光学構造体１１のうち、撮像構造体１６に固定されており、可動部２１を駆動する部分、すなわち、ベース部９、カバー１９、ワイヤー１８、および、ＯＩＳコイル２０を、固定部２２と称する。
【００６５】
（撮像構造体）
本実施形態において、撮像構造体１６は、撮像素子１２、基板１３、センサーカバー１４およびリッドガラス１５を備えている。
【００６６】
撮像素子１２は基板１３上に設けられている。また、センサーカバー１４は、基板１３上に固定され、撮像素子１２を格納している。センサーカバー１４には、撮像レンズ１から入射した光を通すための開口部１４ａが設けられている。そして、開口部１４ａを塞ぐように、センサーカバー１４上にリッドガラス１５が固定されている。また、センサーカバー１４上の、リッドガラス１５が固定されている領域とは異なる領域である搭載面１４ｂに、光学構造体１１のベース部９（の下面９ａ）が固定される。
【００６７】
本実施形態においても、センサーカバー１４は、第１実施形態と同様、図３および図４に示されるような凹部１４ｃを備え、凹部１４ｃにリッドガラス１５を固定してもよい。または、凹部１４ｃを設けずに、センサーカバー１４上の所定の領域にリッドガラス１５を固定してもよい。
【００６８】
いずれにせよ、本実施形態においても、第１実施形態と同様、リッドガラス１５は、センサーカバー１４から撮像レンズ１側に向かって突出するようになっている。これにより、本実施形態においても、第１実施形態において説明したような、異物の影響の抑制等の効果を好適に得ることができる。
【００６９】
（迫り出し部）
ここで、図２（ａ）に示すように、第１実施形態と同様に、ベース部９は、リッドガラス１５の一部を覆うように迫り出している迫り出し部９ｂを備えている。これにより、第１実施形態と同様の効果を得ることができる。なお、本実施形態では、可動部２１は、光軸に対して垂直な方向に駆動される。ただし、カメラモジュール６１に対して衝撃等が加わったときに、可動部２１が光軸方向に動くことがあり、その際に、ワイヤー１８等を損傷するおそれがある。ここで、可動部２１の底面を受ける受け部９ｃを迫り出し部９ｂ上に設けることによって、図２（ａ）に示すような可動部２１の光軸方向への移動範囲を限定し、上述したようなワイヤー１８等の損傷を抑制することができる。
【００７０】
また、本実施形態でも、図２（ｂ）に示すように、特定の断面においては、迫り出し部９ｂは、リッドガラス１５を覆わないようになっていてもよい。
【００７１】
また、本実施形態では、撮像レンズ１を光軸に垂直な方向にも駆動するため、より内部の隙間が大きくなる。そのため、カメラモジュール６１の上部から侵入する異物が多くなるおそれがある。しかしながら、本実施形態によれば、第１実施形態と同様、異物の影響を抑制することができるため、問題の発生を好適に抑制することができる。
【００７２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７３】
本発明は、画像または映像を撮像する機能を有する電子機器（例えば、携帯電話）または当該電子機器を構成する部品の製造分野において利用することができる。
【符号の説明】
【００７４】
５１、６１  カメラモジュール
１      撮像レンズ（レンズ）
２      レンズバレル
３      スリーブ
４      コイル
４’    ＡＦコイル
５      ヨーク
６      磁石
７、８  板バネ
９      ベース部
９ａ    下面
９ｂ    迫り出し部
９ｃ    受け部（可動部受け部）
９ｄ    開口部
１０    トップカバー
１１    光学構造体
１２    撮像素子
１３    基板
１４    センサーカバー（格納部）
１４ａ  開口部
１４ｂ  搭載面
１４ｃ  凹部
１５    リッドガラス（透光部材）
１６    撮像構造体
１７    中間部材
１８    ワイヤー
１９    カバー
２０    ＯＩＳコイル
２１    可動部
２２    固定部
Ｏ−Ｏ’  光軸
【図１】
0005524319.tif 000002
【図２】
0005524319.tif 000003
【図３】
0005524319.tif 000004
【図４】
0005524319.tif 000005
【図５】
0005524319.tif 000006
【図６】
0005524319.tif 000007
【図７】
0005524319.tif 000008
【図８】
0005524319.tif 000009